(57)【特許請求の範囲】
【請求項１】
塵埃を吸引するための吸込具が設けられた可撓性を有するホース体と、
前記ホース体を接続するためのホース体接続部と、
前記ホース体接続部を有する本体と、
前記本体内に収納された電動送風機と、
前記本体の上部に着脱自在に設けられ、前記電動送風機が駆動されることによって前記ホース体から前記ホース体接続部を介して吸引される塵埃を集塵する集塵器と、
前記集塵器を前記本体に係合させる係合手段と、
前記係合手段による前記集塵器の前記本体への係合を解除するための解除手段と、
を備え、
第１方向に前記解除手段を移動させると前記係合手段による前記集塵器の前記本体への係合が解除され、更に前記第１方向に前記解除手段を移動させると前記集塵器が前記本体から取り外されることを特徴とする電気掃除機。
【請求項２】
前記本体の上部は、前記ホース体接続部側を前部として後方に向かうに連れて上方に傾斜し、
前記集塵器は、前記本体に取り付けられた際に、前記本体の上部に形成された傾斜に沿って配置される
ことを特徴とする請求項１に記載の電気掃除機。
【請求項３】
前記集塵器は、集塵した塵埃を収める集塵室が傾斜の下方となる位置に設けられたことを特徴とする請求項２に記載の電気掃除機。
【請求項４】
前記集塵器は、前記ホース体接続部との間に所定の隙間を有して、前記本体に設けられることを特徴とする請求項１乃至３の何れかに記載の電気掃除機。
【請求項５】
前記解除手段は、前記集塵器に設けられたことを特徴とする請求項１乃至４の何れかに記載の電気掃除機。
【請求項６】
前記解除手段は、前記集塵器が取り外される方向と反対の方向に付勢されることを特徴とする請求項１乃至５の何れかに記載の電気掃除機。
【請求項７】
前記本体に、前記本体移動用の取っ手が設けられたことを特徴とする請求項１乃至６の何れかに記載の電気掃除機。
【請求項８】
塵埃を吸引するための吸込具が設けられた可撓性を有するホース体と、
前記ホース体を接続するためのホース体接続部と、
前記ホース体接続部を有する本体と、
前記本体内に収納された電動送風機と、
前記本体の上部に着脱自在に設けられ、前記電動送風機が駆動されることによって前記ホース体から前記ホース体接続部を介して吸引される塵埃を集塵する集塵器と、
前記集塵器を前記本体に係合させる係合手段と、
前記係合手段による前記集塵器の前記本体への係合を解除するための解除手段と、
を備え、
前記集塵器が前記本体から取り外される方向と同じ方向に前記解除手段を移動させることにより、前記係合手段による前記本体への係合が解除され、
前記集塵器は、前記ホース体接続部との間に所定の隙間を有して、前記本体に設けられることを特徴とする電気掃除機。
【請求項９】
塵埃を吸引するための吸込具が設けられた可撓性を有するホース体と、
前記ホース体を接続するためのホース体接続部と、
前記ホース体接続部を有する本体と、
前記本体内に収納された電動送風機と、
前記本体の上部に着脱自在に設けられ、前記電動送風機が駆動されることによって前記ホース体から前記ホース体接続部を介して吸引される塵埃を集塵する集塵器と、
前記集塵器を前記本体に係合させる係合手段と、
前記係合手段による前記集塵器の前記本体への係合を解除するための解除手段と、
を備え、
前記解除手段は、
前記集塵器の一端側に設けられた操作レバーと、
前記集塵器が前記本体から取り外される方向と反対の方向に前記操作レバーを付勢する付勢手段と
を備え、
前記係合手段は、
前記集塵器に設けられた回動軸を支点として回動自在に設けられたフック部と
を備え、
前記操作レバーを前記付勢手段に抗して上方向に移動させると、前記フック部が、前記本体との係合を解除する方向に回動して係合が解除され、
さらに前記操作レバーを上方向に移動させると、前記集塵器の他端側と前記ホース体接続部との接触箇所を支点として前記集塵器が前記操作レバーの移動方向に回動し、前記集塵器が前記本体から取り外される
ことを特徴とする電気掃除機。
【発明の詳細な説明】
【技術分野】
【０００１】
本発明は、電気掃除機、詳しくは、サイクロン式の集塵器を備えた電気掃除機に関するものである。
【背景技術】
【０００２】
サイクロン式の集塵器を備えた電気掃除機として、掃除機本体の上部に形成された凹部に着脱自在に収納された集塵器を備えたものがある。その集塵器の蓋の上面には、前後方向に長溝が形成され、長溝に操作レバーが移動自在に嵌合されている（例えば、特許文献１参照）。
【先行技術文献】
【特許文献】
【０００３】
【特許文献１】特開２００７−８９７５５号公報（第５頁、第７頁及び図１、図３）
【発明の概要】
【発明が解決しようとする課題】
【０００４】
前述した従来の電気掃除機では、操作レバーを掃除機本体の進行方向である前方向に移動させることにより、集塵器を掃除機本体から取り外すことができる。一方、集塵器を掃除機本体から取り外すためには、集塵器を上方に持ち上げなければならない。即ち、集塵器を取り外す際に操作レバーを移動させる方向と、掃除機本体から集塵器を取り外す方向とが一致しない。このため、操作レバーを移動させて集塵器を掃除機本体から取り外す一連の動作が円滑にいかず、その操作が面倒であった。【０００５】
本発明は、前述のような課題を解決するためになされたものであり、その目的は、操作レバーを移動させて集塵器を掃除機本体から取り外す一連の動作を、円滑に且つ容易に行うことができる電気掃除機を提供することである。
【課題を解決するための手段】
【０００６】
本発明に係る電気掃除機は、塵埃を吸引するための吸込具が設けられた可撓性を有するホース体と、ホース体を接続するためのホース体接続部と、ホース体接続部を有する本体と、本体内に収納された電動送風機と、本体の上部に着脱自在に設けられ、電動送風機が駆動されることによってホース体からホース体接続部を介して吸引される塵埃を集塵する集塵器と、集塵器を本体に係合させる係合手段と、係合手段による集塵器の本体への係合を解除するための解除手段と、を備え、第１方向に解除手段を移動させると係合手段による集塵器の本体への係合が解除され、更に第１方向に解除手段を移動させると集塵器が本体から取り外されるものである。
また、本発明に係る電気掃除機は、塵埃を吸引するための吸込具が設けられた可撓性を有するホース体と、ホース体を接続するためのホース体接続部と、ホース体接続部を有する本体と、本体内に収納された電動送風機と、本体の上部に着脱自在に設けられ、電動送風機が駆動されることによってホース体からホース体接続部を介して吸引される塵埃を集塵する集塵器と、集塵器を本体に係合させる係合手段と、係合手段による集塵器の本体への係合を解除するための解除手段と、を備え、集塵器が本体から取り外される方向と同じ方向に解除手段を移動させることにより、係合手段による本体への係合が解除され、集塵器は、ホース体接続部との間に所定の隙間を有して、本体に設けられるものである。
また、本発明に係る電気掃除機は、塵埃を吸引するための吸込具が設けられた可撓性を有するホース体と、ホース体を接続するためのホース体接続部と、ホース体接続部を有する本体と、本体内に収納された電動送風機と、本体の上部に着脱自在に設けられ、電動送風機が駆動されることによってホース体からホース体接続部を介して吸引される塵埃を集塵する集塵器と、集塵器を本体に係合させる係合手段と、係合手段による集塵器の本体への係合を解除するための解除手段と、を備え、解除手段は、集塵器の一端側に設けられた操作レバーと、集塵器が本体から取り外される方向と反対の方向に操作レバーを付勢する付勢手段とを備え、係合手段は、集塵器に設けられた回動軸を支点として回動自在に設けられたフック部とを備え、操作レバーを付勢手段に抗して上方向に移動させると、フック部が、本体との係合を解除する方向に回動して係合が解除され、さらに操作レバーを上方向に移動させると、集塵器の他端側とホース体接続部との接触箇所を支点として集塵器が操作レバーの移動方向に回動し、集塵器が本体から取り外されるものである。
【発明の効果】
【０００７】
本発明によれば、操作レバーを移動させて集塵器を掃除機本体から取り外す一連の動作を、円滑に且つ容易に行うことができ、集塵器の取り外しの作業性が向上する。
【図面の簡単な説明】
【０００８】
【図１】本発明の実施の形態に係る電気掃除機を示す斜視図である。
【図２】本発明の実施の形態に係る電気掃除機を示す側面図である。
【図３】本発明の実施の形態に係る電気掃除機を後方斜め上方から見て示す斜視図である。
【図４】本発明の実施の形態に係る電気掃除機の集塵器を取り外した状態を示す斜視図である。
【図５】本発明の実施の形態に係る電気掃除機を示す上面図である。
【図６】図５に示す電気掃除機のＡ−Ａ断面図である。
【図７】図５に示す電気掃除機のＢ−Ｂ断面図である。
【図８】図５に示す電気掃除機のＣ−Ｃ断面図である。
【図９】図５に示す電気掃除機のＣ−Ｃ断面図である。
【図１０】図５に示す電気掃除機のＣ−Ｃ断面図である。
【図１１】本発明の実施の形態に係る電気掃除機の集塵器を取り外し方向へ移動させ始めた状態を示す側面図である。
【図１２】本発明の実施の形態に係る電気掃除機の集塵器をさらに取り外し方向へ移動させた状態を示す側面図である。
【発明を実施するための形態】
【０００９】
図１は本発明の実施の形態に係る電気掃除機を示す斜視図、図２は本発明の実施の形態に係る電気掃除機を示す側面図、図３は本発明の実施の形態に係る電気掃除機を後方斜め上方から見て示す斜視図、図４は本発明の実施の形態に係る電気掃除機の集塵器を取り外した状態を示す斜視図、図５は本発明の実施の形態に係る電気掃除機を示す上面図、図６は図５に示す電気掃除機のＡ−Ａ断面図、図７は図５に示す電気掃除機のＢ−Ｂ断面図である。
なお、それぞれの図において、同じ部分または相当する部分には同じ符号を付し、一部の説明を省略する。
以下、図１〜図７により本発明の実施の形態の電気掃除機の構成について説明する。
【００１０】
図１に示すように、１００は本発明の実施の形態の電気掃除機であり、本体１とホース体６と後述する集塵器２１とにより構成されている。本体１は、図２〜図４に示すように、樹脂成形で形成された上ケース２と下ケース３とホース体接続部４及び吸気管５と排気管１７とにより構成されている。
【００１１】
ホース体６は、図１に示すように、挿入部６ａと、例えば蛇腹のような可撓性を有する軟質管部６ｂと、電気掃除機１００を操作するための入力を行う操作部６ｄを備える把持部６ｃと、伸縮構造を有する硬質管部６ｅと、塵埃を吸引するための吸込具６ｆとにより構成されている。
【００１２】
本体１において、ホース体接続部４は、電気掃除機１００の進行方向である前側に設けられている。ホース体接続部４は、樹脂成形で形成されており、上ケース２の前側に取り付けられたホース体接続部後板７と、下ケース３及びホース体接続部後板７に跨るように最前端に取り付けられたホース体接続部前板８とにより構成されている。ホース体接続部前板８には、ホース体接続口１１が設けられている。ホース体接続部前板８は、図１に示すように、ホース体６の一端部に設けられた挿入部６ａが、ホース体接続口１１を介して着脱自在に接続できるように構成されている。さらに図２及び図４に示すように、ホース体接続部前板８には、本体移動用の取っ手１４が設けられている。取っ手１４は、ホース体接続口１１の両側から上方へ延び、その上端でコの字の門形状に接続して形成されている。
【００１３】
図４に示すように、本体１を構成する上ケース２は、前側に取り付けられたホース体接続部後板７から後側（電気掃除機１００の進行方向とは逆側）に向かって上方に傾斜しており、その傾斜に沿って本体側面の一方に吸気管５を、他方に排気管１７を有している。吸気管５は、一端がホース体接続部４と流入口１２で接続されている。本体１内では、ホース体接続部４と吸気管５との空気経路が連通している。また、上ケース２は、その後側に、空気吸引部１０を有している。空気吸引部１０の空気吸引口１０ａは、後述する集塵器２１に設けられた空気排出部２３の空気排出口２３ａと着脱自在に接続される。
【００１４】
本体１内には、図６に示すように、電動送風機１５が配設されている。電動送風機１５は、電動送風機収納室２０に収納され、塵埃を吸引するための負圧による吸引風を発生させる。さらに、本体１内には、図７に示すように、制御基板１６やコードリール１８等が納められている。制御基板１６は、操作部６ｄからの入力により、電動送風機１５の駆動等を制御する。コードリール１８には、電動送風機１５等に電力を供給するための電源コードが巻き取られている。電源コードの端部には、電源と接続するための電源コードプラグ１９が設けられている。上ケース２の後側には、電源コードプラグ１９が収納されるプラグ収納部９が設けられていて、電気掃除機１００を使用していない時にぶつけたりして電源コードプラグ１９に衝撃がかからないようになっている。
【００１５】
集塵器２１は、本体１の上部に着脱自在に設けられる。具体的に、集塵器２１は、本体１のうち、図４に示す上ケース２の吸気管５と排気管１７とに挟まれた箇所に取り付けられる。集塵器２１は、本体１に取り付けられると、吸気管５と排気管１７と同様に、上ケース２の傾斜に沿って配置される。また、集塵器２１は、本体１に取り付けられた際に、下方側板２５が、図２に示すように、ホース体接続部４を構成するホース体接続部後板７の側板４ａと所定の隙間Ｗを空けて対向する。側板４ａには、幅方向の中央部下側に、集塵器２１側に突出する突出部４ｂが形成されている。集塵器２１が本体１に取り付けられると、突出部４ｂは、集塵器２１の下方側板２５に当接する。即ち、突出部４ｂが下方側板２５に当接することにより、集塵器２１が本体１に取り付けられた際に、側板４ａの中央部上側と下方側板２５の中央部上側との間に隙間Ｗが確保される。
【００１６】
図３に示すように、集塵器２１は、吸気管５側に突出する吸引口２２を有している。集塵器２１の吸引口２２は、吸気管５の他端側に設けられた流出口１３と着脱自在に接続される。吸引口２２が流出口１３と接続されることにより、吸気管５と集塵器２１との空気経路が連通する。また、集塵器２１は、前述したように、その上側（後側）に、空気排出部２３の空気排出口２３ａを有している。空気排出部２３の空気排出口２３ａが、上ケース２に設けられた空気吸引部１０の空気吸引口１０ａと接続されることにより、集塵器２１と本体１との空気経路が連通する。そして、その空気経路（空気吸引口１０ａ）の下流には、前述の電動送風機収納室２０及び電動送風機１５が備えられている。電動送風機１５が駆動されて負圧になると、その負圧で生じた吸引風が電動送風機１５から排出される。電動送風機１５から排出された空気は、本体１内の風路（図示せず）を通過して、最終的に排気管１７から本体１外へ排気される。
【００１７】
さらに、集塵器２１は、サイクロン集塵部を備えている。集塵器２１のサイクロン集塵部は、第１旋回室２１ａ（図７参照）と、第２旋回室２１ｂ（図６参照）とを有している。第１旋回室２１ａは、吸引口２２から吸引した塵埃を含んだ空気を旋回させ、その旋回によって得られる遠心力により、塵埃を含んだ空気から大きい塵を分離する。第１旋回室２１ａにおいて分離されなかった細かい塵は、空気とともに、第２旋回室２１ｂに送られる。第２旋回室２１ｂは、第１旋回室２１ａで大きい塵と分離された細かい塵を含んだ空気を旋回させ、その旋回によって得られる遠心力により、細かい塵を空気から分離する。
【００１８】
サイクロン集塵部で塵埃を含んだ空気を旋回させる遠心力は、前述の電動送風機１５が駆動されて発生した負圧で生じた吸引風により与えられる。空気から分離された大小の塵は、集塵器２１の集塵室２１ｃに捕集される。集塵室２１ｃは、上ケース２の傾斜に沿って取り付けられた集塵器２１のうち、下方側のホース体接続部４寄り（前側）に設けられている。
【００１９】
また、集塵器２１には、解除手段３１と係合手段５１（図１〜図７においては図示せず）とが設けられている。係合手段５１は、集塵器２１を本体１に係合させて、集塵器２１を本体１に固定するためのものである。以下においては、係合手段５１によって集塵器２１が本体１に係合している状態のことを係合状態ともいう。解除手段３１は、係合手段５１による集塵器２１の本体１への係合を解除するためのものである。解除手段３１によって係合状態が解除されると、集塵器２１を本体１から取り外すことが可能な状態になる。
【００２０】
以下に、本体１と集塵器２１の係合手段５１との係合構造、並びに、解除手段３１による係合状態の解除動作について、図３、図５及び図８〜図１０を用いて説明する。また、集塵器２１を本体１から取り外す時の状態について、図２、図１１、図１２を用いて説明する。
【００２１】
図８〜図１０は図５に示す電気掃除機のＣ−Ｃ断面図である。図８は、集塵器２１が本体１に係合している時の解除手段３１及び係合手段５１の周辺部を示している。図９は、図８の状態から解除手段３１の操作レバー３３を解除方向に移動させ始めた時の解除手段３１及び係合手段５１の周辺部を示している。図１０は、解除手段３１の操作レバー３３を移動させ終わった時の解除手段３１及び係合手段５１の周辺部を示している。図１１は本発明の実施の形態に係る電気掃除機の集塵器を取り外し方向へ移動させ始めた状態を示す側面図、図１２は本発明の実施の形態に係る電気掃除機の集塵器をさらに取り外し方向へ移動させた状態を示す側面図である。
【００２２】
図に示すように、解除手段３１及び係合手段５１は、集塵器２１の上方側板２４のほぼ中央、空気排出部２３の近傍に設けられている。解除手段３１及び係合手段５１は、集塵器２１が本体１に取り付けられると、上方側板２４とともに、集塵器２１の上端部（後側）に配置される。
【００２３】
解除手段３１は、カバー４１と、カバー４１内に一部が収納された操作レバー３３と、解除手段バネ５６とを備えている。カバー４１は、集塵器２１の上方側板２４に設けられた円筒状のネジ取付部４３に、ネジ４４で固定されている。解除手段バネ５６は、例えば、コイル状の圧縮バネからなり、操作レバー３３と一体で形成されたバネ収納部３２に収納されている。
【００２４】
操作レバー３３には、揺動部３４が一体で形成されている。揺動部３４は、バネ収納部３２の下方面から更に下方に伸びるように設けられており、その後側に、下方に向かうに従って集塵器２１の上方側板２４側から操作レバー３３側へ突出するような斜め上向きの傾斜面が形成されている。また、操作レバー３３は、カバー４１に開けられた開口４２から後方に突出しており、その下面側に指掛け部３３ａを有している。解除手段バネ５６は、カバー４１内においてカバー４１の下向きの面（天井面）とその下方にあるバネ収納部３２の上向きの面との間に圧縮状態で設けられており、バネ収納部３２の上記上向きの面を斜め下方に付勢する。即ち、バネ収納部３２と一体で形成された操作レバー３３は、解除手段バネ５６によって上方側板２４の側面（後側の面）に沿って斜め下方に付勢されている。解除手段バネ５６が操作レバー３３を付勢する方向（付勢方向）Ｘは、集塵器２１を本体１から取り外す時に集塵器２１を移動させる方向（取り外し方向）Ｙ（図１１参照）とは反対方向となっている。付勢方向Ｘは、集塵器２１を本体１に取り付ける時に集塵器２１を移動させる方向（取り付け方向）と一致する。
【００２５】
係合手段５１は、被揺動部５３と、フック部５４と、係合手段バネ５７とを備えている。被揺動部５３は、カバー４１内で係合手段回動軸５５に設けられている。係合手段回動軸５５は、カバー４１の幅方向にその長手が配置され、カバー４１の両側面に設けられた軸取付部５２（図３参照）に回動自在に支持されている。即ち、被揺動部５３は、係合手段回動軸５５及び軸取付部５２を介して、カバー４１に対して回動可能に取り付けられている。
【００２６】
被揺動部５３は、その前側に、斜め下向きの傾斜面が形成されている。被揺動部５３に形成されたこの傾斜面は、解除手段３１の揺動部３４に形成された上記斜め上向きの傾斜面に揺動自在に係合する。被揺動部５３の傾斜面は、揺動部３４が所定の下方位置に配置された際に、揺動部３４の傾斜面に対向して面接触する。かかる状態から揺動部３４が（斜め）上方に移動すると、被揺動部５３の傾斜面が揺動部３４の傾斜面に押され、被揺動部５３が、その上端部が後側に移動するように、係合手段回動軸５５を中心に回動（変位）する。
【００２７】
フック部５４は、被揺動部５３と一体に形成され、被揺動部５３の下方に配置されている。フック部５４は、被揺動部５３に連動し、係合手段回動軸５５を支点として回動（変位）する。フック部５４には、上方側に孔が設けられていて、その孔を貫通するようにネジ取付部４３が設けられている。係合手段バネ５７は、コイル状の圧縮バネからなり、ネジ取付部４３の外周に配設されている。係合手段バネ５７は、フック部５４に形成された上記孔の周縁部を後側に常時付勢する。上ケース２には、前側に突出する突起片２ａが設けられており、係合手段バネ５７に付勢されたフック部５４が上記突起片２ａの下面側に引っ掛かることにより、集塵器２１が本体１に係合される。なお、突起片２ａは、上ケース２に設けられた固定体からなる。
【００２８】
集塵器２１が本体１に正常に取り付けられている状態（係合状態）では、図８に示すように、解除手段バネ５６の付勢力によって操作レバー３３と揺動部３４とが付勢方向Ｘに付勢され、揺動部３４が所定の下方位置に配置される。即ち、揺動部３４の傾斜面と被揺動部５３の傾斜面とは、互いに対向して面接触している。また、フック部５４が係合手段バネ５７に付勢され、フック部５４が突起片２ａに係合している。かかる状態から、図９に示すように、操作者（図示せず）が操作レバー３３の指掛け部３３ａに指を掛け、解除手段バネ５６の付勢力に抗して、（集塵器２１の取り外し方向Ｙと同じ方向である）上方に操作レバー３３を引き上げると、操作レバー３３と一体で形成されている揺動部３４が上方に移動する。揺動部３４が上方に移動すると、揺動部３４の下端部（傾斜面のうち、カバー４１側に最も突出している部分）が被揺動部５３を後側に付勢し、係合手段回動軸５５を支点として被揺動部５３をカバー４１側に移動させる。
【００２９】
係合手段５１のフック部５４は、被揺動部５３がカバー４１側に移動することにより、係合手段回動軸５５を支点として、係合手段バネ５７の付勢力に抗して上方側板２４側、詳しくは上ケース２の突起片２ａとの係合が解除される方向に移動する。この状態から、さらに解除手段３１の操作レバー３３を上方に引き上げていくと、図１０に示すように揺動部３４の傾斜面下端部が係合手段５１の被揺動部５３をさらにカバー４１側に移動させ、係合手段５１のフック部５４と上ケース２の突起片２ａとの係合が完全に解除される。
【００３０】
そして、ここからさらに解除手段３１の操作レバー３３を上方に引き上げると、集塵器２１がその下方側を支点として回動するように移動し、集塵器２１の上方側が上ケース２から離れて持ち上がる（図１１、図１２参照）。なお、このような操作を可能にするためには、前述（段落００１５参照）した所定の隙間Ｗが必要となる。即ち、隙間Ｗが形成されているため、集塵器２１を本体１から取り外す際に集塵器２１の係合が外れると、集塵器２１の下方側が移動してホース体接続部後板７の側板４ａに接触する（図１１参照）。そして、集塵器２１の下端部が側板４ａに接触した状態で操作レバー３３が上方に持ち上げられると、上記接触部分が支点となって集塵器２１が回動する。このため、集塵器２１が安定し、集塵器２１を本体１から容易に取り外すことができる。
【００３１】
なお、集塵器２１が取り外された本体１は、取っ手１４を持てば容易に移動させることができる。取っ手１４は、前述のように、本体１のホース体接続部４を構成するホース体接続部前板８に設けられている。このため、本体１の移動は、集塵器２１の装着、非装着状態に全く影響されない。
【００３２】
以上のように本発明の実施の形態においては、解除手段３１の操作レバー３３を集塵器２１の取り外し方向Ｙと同じ方向に移動させることにより、集塵器２１と本体１との係合状態を解除して集塵器２１を本体１から取り外し可能な状態へと移行させることができる。また、その状態から操作レバー３３を更に同じ方向に移動させれば、集塵器２１を本体１から取り外すことができる。このため、操作レバー３３を移動させて集塵器２１を本体１から取り外すまでの一連の動作を円滑に行うことができ、集塵器２１を取り外す時の操作性を向上させることができる。
また、操作レバー３３の操作を指で行うことができ、その操作の流れのまま集塵器２１を本体１から取り外すことができるため、上記一連の動作を片手で簡単に行うことができる。
【産業上の利用可能性】
【００３３】
この発明に係る電気掃除機は、サイクロン式の集塵器が本体に対して着脱自在に構成されたものに適用することができる。
【符号の説明】
【００３４】
１  本体、２  上ケース、２ａ  突起片、３  下ケース、４  ホース体接続部、４ａ  側板、５  吸気管、６  ホース体、６ａ  挿入部、６ｂ  軟質管部、６ｃ  把持部、６ｄ  操作部、６ｅ  硬質管部、６ｆ  吸込具、７  ホース体接続部後板、８  ホース体接続部前板、９  プラグ収納部、１０  空気吸引部、１０ａ  空気吸引口、１１  ホース体接続口、１２  流入口、１３  流出口、１４  取っ手、１５  電動送風機、１６  制御基板、１７  排気管、１８  コードリール、１９  電源コードプラグ、２０  電動送風機収納室、２１  集塵器、２１ａ  第１旋回室、２１ｂ  第２旋回室、２１ｃ  集塵室、２２  吸引口、２３  空気排出部、２３ａ  空気排出口、２４  上方側板、２５  下方側板、３１  解除手段、３２  バネ収納部、３３  操作レバー、３３ａ  指掛け部、３４  揺動部、４１  カバー、４２  開口、４３  ネジ取付部、４４  ネジ、５１  係合手段、５２  軸取付部、５３  被揺動部、５４  フック部、５５  係合手段回動軸、５６  解除手段バネ、５７  係合手段バネ、１００  電気掃除機、Ｗ  隙間、Ｘ  付勢方向、Ｙ  取り外し方向。
【図１】
0005429370.tif 000002
【図２】
0005429370.tif 000003
【図３】
0005429370.tif 000004
【図４】
0005429370.tif 000005
【図５】
0005429370.tif 000006
【図６】
0005429370.tif 000007
【図７】
0005429370.tif 000008
【図８】
0005429370.tif 000009
【図９】
0005429370.tif 000010
【図１０】
0005429370.tif 000011
【図１１】
0005429370.tif 000012
【図１２】
0005429370.tif 000013